(57)【要約】【課題】この種のアナログ式電波修正時計における針合わせをできる限り簡単な操作でかつ短時間で実行可能とすること。【解決手段】手動時刻設定モードの動作は、所定の寸送り操作が行われる毎に寸送り用パルスをステッピングモータに与えて針を寸送りさせると共に、同寸送り用パルスをカウントすることにより針位置時刻データを更新する寸送り動作と、所定の連続回転開始操作が行われたのち、所定の連続回転終了操作が行われるまでの間、連続回転用パルス列をステッピングモータに与えて針を連続回転させると共に、同連続回転用パルスをカウントすることによりメモリに記憶された針位置時刻データを更新する連続回転動作とを含んでおり、さらに連続回転動作に使用される連続回転用パルス列の周波数は２以上の周波数に切替可能とされている。【選択図】図３
2005121440.tif 000002
【特許請求の範囲】
【請求項１】
時・分・秒の各針、又は時・分の各針を有する時計針セットと、
時計針セットを構成する各針を回転させるための駆動源として機能するステッピングモータと、
所定操作で選択的に作動させることが可能な通常運針モードの動作と手動時刻設定モードの動作と、を有し、
通常運針モードの動作は、通常運針用パルス列をステッピングモータに与えて各針を時刻に合わせて運針させると共に、同通常運針用パルス列をカウントすることにより針の回転位置に相当する針位置時刻データを生成して所定のメモリに記憶させ、さらに標準電波を介して受信された標準時刻データとメモリに記憶された針位置時刻データとに基づいて自動時刻修正を行う動作を含んでおり、
手動時刻設定モードの動作は、所定の寸送り操作が行われる毎に寸送り用パルスをステッピングモータに与えて針を寸送りさせると共に、同寸送り用パルスをカウントすることにより針位置時刻データを更新する寸送り動作と、所定の連続回転開始操作が行われたのち、所定の連続回転終了操作が行われるまでの間、連続回転用パルス列をステッピングモータに与えて針を連続回転させると共に、同連続回転用パルスをカウントすることによりメモリに記憶された針位置時刻データを更新する連続回転動作とを含んでおり、さらに連続回転動作に使用される連続回転用パルス列の周波数は２以上の周波数に切替可能とされている、ことを特徴とするアナログ式電波修正時計。
【請求項２】
手動時刻設定モードの動作に含まれる連続回転動作において、所定の連続回転開始操作が行われたのち、ステッピングモータに与えられるパルス数が規定パルス数に達するまでは、連続回転用パルス列の周波数は第１の周波数に設定されており、ステッピングモータに与えられるパルス数が規定パルス数に達すると、連続回転用パルス列の周波数は第１の周波数から第２の周波数に切り替られ、かつ連続回転用パルス列の第１の周波数は通常運針用パルス列の周波数よりも高くかつ連続回転用パルス列の第２の周波数よりも低く設定されている、ことを特徴とする請求項１に記載のアナログ式電波修正時計。
【請求項３】
針が連続回転しているときに所定の操作が行われると、ステッピングモータに与えられる
連続回転用パルス列の周波数が切り替わる、ことを特徴とする請求項２に記載のアナログ式電波修正時計。
【請求項４】
切替可能な２以上の連続回転用パルス列の周波数の中で、最も高い周波数が４０ｐｐｍ以上であり、かつ最も低い周波数が２０ｐｐｍ以下である、ことを特徴とする請求項２又は３に記載のアナログ式電波修正時計。
【請求項５】
時計針セットが時・分・秒の各針で構成されるときには、秒針が少なくとも１回転する期間、時計針セットが時・分の各針で構成されるときには、分針が少なくとも１回転する期間、連続回転用パルス列の中で最も低い周波数のパルス列がステッピングモータに与えられる、請求項２〜４のいずれかに記載のアナログ式電波修正時計。
【請求項６】
針の連続回転の継続時間は針の表示で１２時間以内とされている、ことを特徴とする請求項２〜５のいずれかに記載のアナログ式電波修正時計。
【発明の詳細な説明】
【技術分野】
【０００１】
本発明は、手動時刻修正モードを有するアナログ式電波修正時計に関するものである。
【背景技術】
【０００２】
アナログ式の電波修正時計（例えば、腕時計）は、時・分・秒の各針、又は時・分の各針を有する時計針セットと、時計針セットを構成する各針を回転させるための駆動源として機能するステッピングモータとを有する。時計に内蔵されたマイクロコンピュータ（ＣＰＵ）には、通常運針モードとしての動作プログラムが組み込まれている。この通常運針モードの動作は、通常運針用パルス列をステッピングモータに与えて各針を時刻に合わせて運針させると共に、同通常運針用パルス列をカウントすることにより針の回転位置に相当する針位置時刻データを生成して所定のメモリに記憶させ、さらに標準電波を介して受信された標準時刻データとメモリに記憶された針位置時刻データとに基づいて自動時刻修正を行う動作を含んでいる。このように、電波修正時計においては、自動時刻修正のために、常に針位置時刻データをメモリ内に記憶していなければならない。
【０００３】
ところで、出荷時や電池交換時においては、手動による時刻修正が必要となる。このとき、電波修正機能を有しない通常のクウォーツ時計であれば、竜頭を手動で回転させる操作により、針を所望の時刻に修正することができる。しかし、電波修正時計において、竜頭を手動で回転させる操作により、針を所望の時刻に修正すると、実際の針位置時刻とメモリ内に記憶された針位置時刻データで示される針位置時刻とが一致しなくなり、標準電波を介して受信された標準時刻データとメモリに記憶された針位置時刻データとに基づいて自動時刻修正を行うのにに支障を来す。
【０００４】
そのため、この種のアナログ式電波修正時計に内蔵されたマイクロコンピュータ（ＣＰＵ）には、手動時刻設定モードとしての動作プログラムが組み込まれている。この手動時刻設定モードの動作は、所定の寸送り操作が行われる毎に寸送り用パルスをステッピングモータに与えて針を寸送りさせると共に、同寸送り用パルスをカウントすることにより針位置時刻データを更新する寸送り動作と、所定の連続回転開始操作が行われたのち、所定の連続回転終了操作が行われるまでの間、連続回転用パルス列をステッピングモータに与えて針を連続回転させると共に、同連続回転用パルスをカウントすることによりメモリに記憶された針位置時刻データを更新する連続回転動作とを含んでいる。このような手動時刻設定モードの動作によれば、針位置を手動で修正しつつ、修正後の針位置時刻に合わせてメモリ内の針位置時刻データを更新することができる。
【０００５】
従来、デジタル式の電子時計に早送り専用スイッチを設け、その早送り専用スイッチの操作時間に従って３段階の速度にてデジタル表示を早送り修正することが知られている（特許文献１参照）。また、２針式電子時計に修正モードスイッチ及び時間修正スイッチを設け、文字盤上で修正時刻をセットするのみで自動的に針を回転させて時刻修正することが知られている（特許文献２参照）。
【特許文献１】特開昭５８−５０４９１号公報
【特許文献２】特開昭５９−３４１８６号公報
【発明の開示】
【発明が解決しようとする課題】
【０００６】
従来、アナログ式電波修正時計の連続回転用パルス列の周波数は一種類しかなかったため、手動時刻設定に要する時間を短縮しようとするあまり、連続回転用パルス列の周波数は約９０ｐｐｓ（１２時間回転するのに約８分）と言った高い周波数に設定されがちであった。そのため、目標とする時刻の近辺で針を停止させることが著しく困難であり、より近くで停止させようとして目標の時刻を通過してしまい、再度針を連続回転で一周させねばならない嵌めに陥りがちであった。他方、それを避けるためには、希望する時刻のかなり手前で連続回転を停止させたのち、残りを寸送り操作で進ませることとなり、寸送り回数が多いことから操作が面倒で時間もかかると言う問題点があった。
【０００７】
この発明は上述の問題点に着目してなされたものであり、その目的とするところは、この種のアナログ式電波修正時計における針合わせをできる限り簡単な操作でかつ短時間で実行可能とすることにある。  
【課題を解決するための手段】
【０００８】
本発明のアナログ式電波修正時計は、時・分・秒の各針、又は時・分の各針を有する時計針セットと、時計針セットを構成する各針を回転させるための駆動源として機能するステッピングモータと、所定操作で選択的に作動させることが可能な通常運針モードの動作と手動時刻設定モードの動作と、を有している。
【０００９】
通常運針モードの動作は、通常運針用パルス列をステッピングモータに与えて各針を時刻に合わせて運針させると共に、同通常運針用パルス列をカウントすることにより針の回転位置に相当する針位置時刻データを生成して所定のメモリに記憶させ、さらに標準電波を介して受信された標準時刻データとメモリに記憶された針位置時刻データとに基づいて自動時刻修正を行う動作を含んでいる。
【００１０】
手動時刻設定モードの動作は、所定の寸送り操作が行われる毎に寸送り用パルスをステッピングモータに与えて針を寸送りさせると共に、同寸送り用パルスをカウントすることにより針位置時刻データを更新する寸送り動作と、所定の連続回転開始操作が行われたのち、所定の連続回転終了操作が行われるまでの間、連続回転用パルス列をステッピングモータに与えて針を連続回転させると共に、同連続回転用パルスをカウントすることによりメモリに記憶された針位置時刻データを更新する連続回転動作とを含んでおり、さらに連続回転動作に使用される連続回転用パルス列の周波数は２以上の周波数に切替可能とされている。
【００１１】
このような構成によれば、連続回転動作に使用される連続回転用パルス列の周波数を２以上の周波数に切り替えて、連続回転速度を適当に調整（例えば、目標時刻に針が接近するに連れて高速連続回転、低速連続回転、寸送り回転の如くに切り替える）することにより、この種のアナログ式電波修正時計における針合わせを簡単かつ短時間で実行させることができる。
【００１２】
本発明の好ましい実施の形態においては、手動時刻設定モードの動作に含まれる連続回転動作において、所定の連続回転開始操作が行われたのち、ステッピングモータに与えられるパルス数が規定パルス数に達するまでは、連続回転用パルス列の周波数は第１の周波数に設定されており、ステッピングモータに与えられるパルス数が規定パルス数に達すると、連続回転用パルス列の周波数は第１の周波数から第２の周波数に切り替られ、かつ連続回転用パルス列の第１の周波数は通常運針用パルス列の周波数よりも高くかつ連続回転用パルス列の第２の周波数よりも低く設定されている、ようにしてもよい。
【００１３】
このような構成によれば、規定パルス数相当の目標時刻手前まで高速で連続回転しつつ接近した時点で針の回転を一旦停止させたのち、再度、針の連続回転を開始させれば、当初に針は低速に連続回転して目標時刻に比較的ゆっくりと接近するため、目標時刻の間近で針位置を正確に停止させ、しかるのち寸送り動作をさせつつ、目標とする時刻にぴったりと合わせることができる。しかも、この例にあっては、一定回転量だけ回転すれば、低速連続回転から高速連続回転への切替が自動的に行われるから、低速連続回転しか存在しないと誤認して、長時間をかけて低速連続回転で目標時刻に接近すると言った操作ミスを回避することができる。
【００１４】
本発明の好ましい実施の形態においては、針が連続回転しているときに所定の操作が行われると、ステッピングモータに与えられる連続回転用パルス列の周波数が切り替わる、ようにしてもよい。このような構成によれば、必要に応じて連続回転速度の切替をより簡単かつ滑らかに行うことができる。
【００１５】
本発明の好ましい実施の形態においては、切替可能な２以上の連続回転用パルス列の周波数の中で、最も高い周波数が４０ｐｐｍ以上であり、かつ最も低い周波数が２０ｐｐｍ以下である、ようにしてもよい。このような構成によれば、人間工学的な検知から最適な速度で目標時刻への接近を行わせることができる。
【００１６】
本発明の好ましい実施の形態においては、時計針セットが時・分・秒の各針で構成されるときには、秒針が少なくとも１回転する期間、時計針セットが時・分の各針で構成されるときには、分針が少なくとも１回転する期間、連続回転用パルス列の中で最も低い周波数のパルス列がステッピングモータに与えられる、ようにしてもよい。このような構成によれば、低速連続回転の継続時間を適切に設定することができる。
【００１７】
本発明の好ましい実施の形態においては、針の連続回転の継続時間は針の表示で１２時間以内とされている、ようにしてもよい。このような構成によれば、不必要に連続回転が継続することを回避することができる。
【発明の効果】
【００１８】
本発明によれば、連続回転の際の速度を２以上に切り替え可能としたことにより、この種のアナログ式電波修正時計における針合わせをできる限り簡単な操作でかつ短時間で実行可能とすることができる。
【発明を実施するための最良の形態】
【００１９】
以下に、この発明の好適な実施の一形態を添付図面に従って詳細に説明する。先に説明したように、本発明のアナログ式電波修正時計は、時・分・秒の各針、又は時・分の各針を有する時計針セットと、時計針セットを構成する各針を回転させるための駆動源として機能するステッピングモータと、所定操作で選択的に作動させることが可能な通常運針モードの動作と手動時刻設定モードの動作とを有する。
【００２０】
通常運針モードの動作は、通常運針用パルス列をステッピングモータに与えて各針を時刻に合わせて運針させると共に、同通常運針用パルス列をカウントすることにより針の回転位置に相当する針位置時刻データを生成して所定のメモリに記憶させ、さらに標準電波を介して受信された標準時刻データとメモリに記憶された針位置時刻データとに基づいて自動時刻修正を行う動作を含んでいる。
【００２１】
手動時刻設定モードの動作は、所定の寸送り操作が行われる毎に寸送り用パルスをステッピングモータに与えて針を寸送りさせると共に、同寸送り用パルスをカウントすることにより針位置時刻データを更新する寸送り動作と、所定の連続回転開始操作が行われた後、所定の連続回転終了操作が行われるまでの間、連続回転用パルス列をステッピングモータに与えて針を連続回転させると共に、同連続回転用パルスをカウントすることによりメモリに記憶された針位置時刻データを更新する連続回転動作とを含んでおり、さらに連続回転動作に使用される連続回転用パルス列の周波数は２以上の周波数に切替可能とされている。
【００２２】
より具体的な実施の一形態として、文字盤上の指針と操作ボタンとの関係を示す説明図が図１に示されている。同図に示される電波修正時計１は、電波修正腕時計として構成されている。すなわち、図において２はベゼル、３は文字盤、４は時針、５は分針、６は秒針、７はモメンタリタイプの押しボタンスイッチの押しボタンであるＡボタン、８は同様にモメンタリタイプの押しボタンスイッチの押しボタンであるＢボタンである。この例では、時針４、分針５、および秒針６によって時計針セットが構成されている。尚、Ａボタン７及びＢボタン８の機能については後にフローチャートを参照しながら詳細に説明する。
【００２３】
本発明に係る電波修正時計１の電気的なハードウェア構成の全体を概略的に示すブロック図が図２に示されている。同図に示されるように、この電気的なハードウェア構成は、時計針セットを構成する各針４，５，６を回転させるための駆動源として機能するステッピングモータ１０と、時計全体を統括制御するためのマイクロコンピュータ（ＣＰＵ）１１と、標準電波を受信するための受信回路ＩＣ１７とを中心として構成されている。ＣＰＵ１１内には、２個のＣＭＯＳドライバ１２，１３が組み込まれている。ＣＭＯＳドライバ１２の出力端子Ｐ００にはモータ１０の一方の端子が、またＣＭＯＳドライバ１３の出力端子Ｐ０１にはモータ１０の出力端子の他方が接続される。１４は先ほど説明したＡボタンに相当するモメンタリタイプの押しボタンスイッチ、１５はＢボタンに相当するモメンタリタイプの押しボタンスイッチ、１６はＣＰＵクロック用水晶である。
【００２４】
受信回路ＩＣ１７は、アンテナ１８において受信同調した受信信号を、フィルタ用水晶１９を含むバンドパスフィルタを通してフィルタリングし、さらにこれを周波数復調並びに検波することによって、標準時刻信号（ＴＣＯ信号）Ｓ１を出力する。こうして得られた標準時刻信号Ｓ１はＣＰＵ１１に取り込まれる。尚、受信回路ＯＮ／ＯＦＦ信号Ｓ２はＣＰＵ１１から受信回路ＩＣ１７の電源オンオフを制御するためのものである。この受信回路ＯＮ／ＯＦＦ信号Ｓ２の作用によって、受信回路ＩＣ１７における節電制御が行われる。尚、以上の基本回路の構成は種々の文献により既に公知であるから、詳細な説明は省略する。ＣＰＵ１１及び受信回路ＩＣ１７は、バッテリで構成された電源２０によって給電される。
【００２５】
ここで、ステッピングモータ１０と時計針セットを構成する時針４、分針５、秒針６の回転との関係を説明する。時計用ステッピングモータは、特殊なものを除き、ロータは１パルスで１８０°回転する。また、回転方向は１方向に制限されている。この例では、時計針セットを構成する時針４、分針５、秒針６は１個のステッピングモータ１０により回転駆動される。ステッピングモータ１０に対して１個の駆動パルスが与えられると、秒針６が１秒の回転角度に相当する６°回転する。ステッピングモータ１０の動力は数枚のギヤを組み合わせることにより回転速度が変更される。すなわち、それらギヤのうち『時』の動きに相当するギヤには時針４が、『分』の動きに相当するギヤには分針５が、『秒』の動きに相当するギヤには秒針６が装着されている。このように、１個のステッピングモータ１０の動きを数枚のギヤを介して時針４、分針５、秒針６に伝え１パルスで秒針を１秒動かす方式を時計業界では『ステップ運針』と称している。
【００２６】
次に、ステッピングモータ１０に供給されるモータ駆動パルスの説明図が図３に示されている。この実施形態に係る電波腕時計にあっては、３種類のモータ駆動パルス列が用意されている。そのうち同図（ａ）に示されているものは通常運針用のパルス列である。同図に示されるように、この通常運針用のパルス列は、互いに１８０°の位相差を有する２相パルス列で構成されている。各相のパルス列に含まれるパルスとパルスとの間隔は２０００ｍｓとされ、個々のパルスの幅は３．９ｍｓとされている。そのため、第１相のパルスと第２相のパルスとの間隔は１０００ｍｓ（１秒）とされている。
【００２７】
同図（ｂ）に示されるものは、低速連続回転動作に使用される連続回転用パルス列である。このパルス列もまた互いに１８０°の位相差を有する２相パルス列で構成されている。各相のパルス列に含まれるパルスとパルスとの間隔は２００ｍｓとされ、個々のパルスの幅は先ほどと同様に３．９ｍｓとされている。そのため、第１相のパルスと第２相のパルスとの間隔は１００ｍｓ（１０ｐｐｓ）とされている。
【００２８】
同図（ｃ）に示されるものは、高速連続回転動作に使用される連続回転用パルス列である。このパルス列もまた、互いに１８０°の位相差を有する２相パルス列で構成されている。各相のパルス列に含まれるパルスとパルスとの間隔は２２．２ｍｓとされ、個々のパルスの幅は３．９ｍｓとされている。そのため、第１相のパルスと第２相のパルスとの間隔は１１．１ｍｓ（９０ｐｐｓ）とされている。
【００２９】
同図（ａ）に示される通常運針用パルス列を構成する２相パルス列の中で、第１相パルス列はＣＭＯＳドライバ１２の出力端子Ｐ００から出力され、２相パルス列はＣＭＯＳドライバ１３の端子Ｐ０１から出力される。同様にして、同図（ｂ）に示される低速連続回転用のパルス列を構成する第１相パルス列は、ＣＭＯＳドライバ１２の端子Ｐ００から出力され、第２相パルス列はＣＭＯＳドライバ１３の端子Ｐ０１から出力される。同様にして、同図（ｃ）に示される高速連続回転用のパルス列を構成する第１相パルス列はＣＭＯＳドライバ１２の端子Ｐ００から出力され、第２相パルス列はＣＭＯＳドライバ１３の端子Ｐ０１から出力される。
【００３０】
これにより、同図（ｂ）に示される低速連続回転用のパルス列は１０ｐｐｓ仕様となり、同図（ｃ）に示される高速連続回転用のパルス列は９０ｐｐｓ仕様となる。
【００３１】
図２に戻って、マイクロコンピュータ（ＣＰＵ）１１には、所定操作で選択的に作動させることが可能な通常運針モードの動作プログラムと手動時刻設定モードの動作プログラムとが組み込まれている。通常運針モードの動作プログラムは、図３（ａ）に示される通常運針用パルス列をステッピングモータ１０に与えて各針４，５，６を時刻に合わせて運針させると共に、同通常運針用パルス列をカウントすることにより針の回転位置に相当する針位置時刻データを生成して所定のメモリ（図示せず）に記憶させ、さらに標準電波を介して受信された標準時刻データとメモリに記憶された針位置時刻データとに基づいて自動時刻修正を行うように仕組まれている。
【００３２】
次に、手動時刻設定モードの動作プログラムは、所定の寸送り操作が行われる毎に寸送り用パルスをステッピングモータ１０に与えて針を寸送りさせると共に、同寸送り用パルスをカウントすることにより針位置時刻データを更新する寸送り動作と、所定の連続回転開始操作が行われた後、所定の連続回転終了操作が行われるまでの間、連続回転用パルス列をステッピングモータ１０に与えて針を連続回転させると共に、同連続回転用パルスをカウントすることによりメモリに記憶された針位置時刻データを更新する連続回転動作とが含まれており、さらに連続回転動作に使用される連続回転用パルス列の周波数は図３（ａ），（ｂ）に示されるように２つの周波数（１０ｐｐｓ，９０ｐｐｓ）に切替可能とされている。
【００３３】
次に、第１実施形態のソフトウェア構成を示すフローチャート（その１）が図４に示されており、また第１実施形態のソフトウェア構成を示すフローチャート（その２）が図５に示されている。
【００３４】
図４において、Ａボタン７とＢボタン８とを使用した所定のモード切替操作によって通常運針モードから手動時刻設定モードへのモード切替が行われると、まずステップ４０１では、針の連続回転速度を示すフラグは高速を示す『Ｈ』に設定される。続いてステップ４０２では、ＣＰＵ１１からステッピングモータ１０に対するパルス列の供給を停止することによって、針停止状態とされる。以後、Ａボタン７及びＢボタン８の押圧操作を待機する状態となる（ステップ４０３，４０４）。
【００３５】
この状態において、Ｂボタン８が押されると（ステップ４０４ＹＥＳ）、ステップ４０５へと進んで、ＣＰＵ１１からステッピングモータ１０に対して１個の駆動パルスが送られて、秒針６が１秒だけ寸送りされる。以後、Ｂボタン８が２秒未満の長さで押されるたびに（ステップ４０６ＮＯ、４０３ＮＯ、４０４ＹＥＳ）、その都度秒針６は１秒ずつ寸送りされる。同時に、ステップ４０５においては、針を１パルス分動かすたびに、同寸送り用パルスをカウントすることにより針位置時刻データを更新する。こうして更新された針位置時刻データは、通常運針動作時における標準時刻データに基づく自動時刻修正に供される。
【００３６】
これに対して、Ｂボタン８が２秒以上押されたことが確認されると（ステップ４０６ＹＥＳ）、図５のフローチャートへ進んで、ステップ５０１において、高速の連続回転処理が実行される。この連続回転処理においては、図３（ｃ）に示されるように、１１．１ｍｓ毎に１個の駆動パルスをステッピングモータ１０に供給することによって（９０ｐｐｓ）、秒針６を高速『Ｈ』で連続回転させる。また、連続回転用パルス列（９０ｐｐｓ）をカウントすることにより針位置時刻データを更新する。こうして更新された針位置時刻データは、通常運針動作時における標準時刻データに基づく自動時刻修正に供される。連続回転処理（ステップ５０１）は、Ｂボタン８の操作並びにＡボタン７の操作を監視しつつ継続的に実行される。その間に、Ｂボタン８が押されたことが確認されると（ステップ５０２ＹＥＳ）、図４のフローチャートに戻って、秒針６の回転は停止される（ステップ４０２）。これに対して、Ａボタンが押されたことが確認されると（ステップ５０３ＹＥＳ）、そのときのフラグの状態を確認したのち（ステップ５０４）、ステップ５０５へと進んで、連続回転速度を示すフラグは低速を示す『Ｌ』へ切り替えられ、低速の連続回転処理（ステップ５０１）が継続される。この連続回転処理においては、図３（ｂ）に示されるように、１００ｍｓ毎に１個の駆動パルスをステッピングモータ１０に供給することによって（１０ｐｐｓ）、秒針６を低速『Ｌ』で連続回転させる。また、連続回転用パルス列（１０ｐｐｓ）をカウントすることにより針位置時刻データを更新する。こうして更新された針位置時刻データは、通常運針動作時における標準時刻データに基づく自動時刻修正に供される。その後、再びＡボタンが押されたことが確認されると（ステップ５０３ＹＥＳ）、そのときの連続回転速度は『Ｌ』であるからステップ５０６へ進んで、連続回転速度は高速を示す『Ｈ』に変更される。すなわち、連続回転動作中にあっては（ステップ５０１）、Ａボタン７が押されるたびに、連続回転速度は高速『Ｈ』と低速『Ｌ』とに交互に切り替わる。
【００３７】
以上をまとめると、この第１実施形態においては、手動時刻設定モードが開始されると、針４，５，６は先ず停止状態とされ（ステップ４０２）、その後Ｂボタン８が短時間押されるたびに（ステップ４０４ＹＥＳ）、秒針６は１秒づつ寸送りされる（ステップ４０５）。一方、Ｂボタン８が２秒以上押されると（ステップ４０６ＹＥＳ）、連続回転動作が開始され（ステップ５０１）、以後Ａボタン７が押されるたびに（ステップ５０３ＹＥＳ）、連続回転速度は低速『Ｌ』（ステップ５０５）と高速『Ｈ』（ステップ５０６）とに交互に切り替わる。さらに、連続回転状態において（ステップ５０１）、Ｂボタンが押されると（ステップ５０２ＹＥＳ）、針は停止される（ステップ４０２）。以後、Ａボタンが押されると（ステップ４０３ＹＥＳ）、手動時刻設定モードから脱出する。
【００３８】
次に、第２実施形態のソフトウェア構成を示すフローチャート（その１）が図６に、第２実施形態のソフトウェア構成を示すフローチャート（その２）が図７にそれぞれ示されている。図６において、所定のモード切替操作によって手動時刻設定モードが開始されると、針の連続回転速度を示すフラグは低速を示す『Ｌ』に設定され（ステップ６０１）、以後、Ａボタン７又はＢボタン８が押されるまで、針は停止状態に維持される（ステップ６０２）。
【００３９】
この状態において、Ｂボタンが短時間押されると（ステップ６０４ＹＥＳ）、第１実施形態と同様にして、秒針６は１秒ずつ寸送りされる（ステップ６０５）。この寸送り動作は、Ｂボタン８が短時間押されるたびに（ステップ６０４ＹＥＳ）、繰り返される（ステップ６０５）。同時に、ステップ６０５においては、針を１パルス分動かすたびに、同寸送り用パルスをカウントすることにより針位置時刻データを更新する。こうして更新された針位置時刻データは、通常運針動作時における標準時刻データに基づく自動時刻修正に供される。
【００４０】
一方、Ｂボタン８が２秒以上押されると（ステップ６０６ＹＥＳ）、図７に進んで、連続回転動作が開始され（ステップ７０１）、以後ステッピングモータ１０へ与えられるパルス数が設定されたパルス数に達するまでの間（ステップ７０２ＮＯ）、低速『Ｌ』（１０ｐｐｓ）による連続回転が継続される（ステップ７０１）。また、連続回転用パルス列（１０ｐｐｓ）をカウントすることにより針位置時刻データを更新する。こうして更新された針位置時刻データは、通常運針動作時における標準時刻データに基づく自動時刻修正に供される。一方、ステッピングモータ１０に与えられるパルス数が設定されたパルス数に達すると（ステップ７０２ＹＥＳ）、連続回転速度は低速『Ｌ』（１０ｐｐｓ）から高速『Ｈ』（９０ｐｐｓ）へと切り替えられ（ステップ７０３）、その状態で連続回転が継続される（ステップ７０１）。また、連続回転用パルス列（９０ｐｐｓ）をカウントすることにより針位置時刻データを更新する。こうして更新された針位置時刻データは、通常運針動作時における標準時刻データに基づく自動時刻修正に供される。一方、連続回転動作が設定されたパルス数に達する以前に、Ｂボタン８の操作が確認されると（ステップ７０４ＹＥＳ）、図６のフローチャートへ戻って、連続回転速度を示すフラグを『Ｌ』にして針は停止される（ステップ６０２）。また、Ａボタン７が操作されるのを待って（ステップ６０３ＹＥＳ）、手動時刻設定モードからの脱出が行われる。
【００４１】
このように、第２実施形態においては、第１実施形態と同様にして、手動時刻設定モードの開始と共に、針はまず停止状態となり（ステップ６０２）、その状態でＢボタンが短時間押されるたびに（ステップ６０４ＹＥＳ）、秒針６は１秒ずつ寸送りされる（ステップ６０５）。一方、Ｂボタン８が２秒以上押されると（ステップ６０６）、低速『Ｌ』（１０ｐｐｓ）による連続回転への移行が行われ（ステップ７０１）、その状態はステッピングモータ１０に対して設定されたパルス数のパルス列（１０ｐｐｓ）が供給されるまで継続する（ステップ７０２ＮＯ）。一方、設定されたパルス数に達すると（ステップ７０２ＹＥＳ）、連続回転速度は低速『Ｌ』（１０ｐｐｓ）から高速『Ｈ』（９０ｐｐｓ）へと自動的に切り替わる。
【００４２】
次に、第３実施形態のソフトウェア構成を示すフローチャート（その１）が図８に、第３実施形態のソフトウェア構成を示すフローチャート（その２）が図９にそれぞれ示されている。図８において、手動時刻設定モードが開始されると、第１及び第２実施形態と同様にして、針の連続回転速度を示すフラグが設定された後（ステップ８０１）、まず、針は停止状態とされる（ステップ８０２）。その後、Ｂボタン８が短時間操作されるたびに（ステップ８０４ＹＥＳ）、秒針６は１秒ずつ寸送りされる（ステップ８０５）。同時に、ステップ８０５においては、針を１パルス分動かすたびに、同寸送り用パルスをカウントすることにより針位置時刻データを更新する。こうして更新された針位置時刻データは、通常運針動作時における標準時刻データに基づく自動時刻修正に供される。これに対してＢボタン８が２秒以上押されると（ステップ８０６ＹＥＳ）、図９へと進んで、寸送り状態から連続回転状態への移行が行われ（ステップ９０１）、以後ステッピングモータ１０へ供給されるパルス数が設定されたパルス数に達するまでの間（ステップ９０２ＮＯ）、連続回転速度は低速回転『Ｌ』（１０ｐｐｓ）に維持される（ステップ９０５ＮＯ）。また、連続回転用パルス列（１０ｐｐｓ）をカウントすることにより針位置時刻データを更新する。こうして更新された針位置時刻データは、通常運針動作時における標準時刻データに基づく自動時刻修正に供される。
【００４３】
これに対して、ステッピングモータ１０に与えられるパルス数が設定されたパルス数に達すると（ステップ９０２ＹＥＳ）、連続回転速度は高速『Ｈ』（９０ｐｐｓ）に切り替えられる（ステップ９０３）。一方、低速回転状態『Ｌ』（１０ｐｐｓ）又は高速回転状態『Ｈ』（９０ｐｐｓ）のいずれにおいても、Ａボタン７が押されると（ステップ９０５ＹＥＳ）、連続回転速度はＡボタン７が押されるたびに、１０ｐｐｓである低速回転状態『Ｌ』（ステップ９０７）と９０ｐｐｓである高速回転状態『Ｈ』（ステップ９０８）とに交互に切り替えられる。すなわち、この第３実施形態においては、第１実施形態と第２実施形態とを組み合わせた作用が実現されるわけである。
【００４４】
第１実施形態において、手動で時刻設定を行う場合には、まずＢボタン８を２秒以上押すことによって（ステップ４０６ＹＥＳ）、高速連続回転（９０ｐｐｓ）に移行させた後（ステップ５０１）、秒針６を高速で回転させながら、目標とする時刻へと接近させていき、目標時刻の適当な手前まで到達したならば、Ａボタン７を押すことによって（ステップ５０３ＹＥＳ）、高速『Ｈ』（９０ｐｐｓ）から低速『Ｌ』（１０ｐｐｓ）へと連続回転速度を切り替えて、目標時刻へとゆっくりと接近させていき、目標時刻の寸前でＢボタンを押すことによって（ステップ５０２ＹＥＳ）、針を停止させ（ステップ４０２）、しかる後、Ｂボタンを操作して（ステップ４０４ＹＥＳ）、針を寸送りさせつつ（ステップ４０５）、正確に目標時刻へと到達することができる。
【００４５】
第２実施形態においては、手動時刻設定モードへと移行させた後、Ｂボタンを２秒以上押すことによって（ステップ６０６ＹＥＳ）、低速連続回転『Ｌ』（１０ｐｐｓ）へと移行させ（ステップ７０１）、さらに設定されたパルス数の出力を待って（ステップ７０２ＹＥＳ）、低速連続回転『Ｌ』（１０ｐｐｓ）から高速連続回転『Ｈ』（９０ｐｐｓ）へと移行させ（ステップ７０３）、以後目標とする時刻の手前まで達したならば、Ｂボタン８を押し（ステップ７０４ＹＥＳ）、連続回転速度を示すフラグを『Ｌ』とし針を停止させる。しかる後、Ｂボタンを再び２秒以上押すことによって、連続回転動作へと移行させ、低速連続回転『Ｌ』（１０ｐｐｓ）によって（ステップ７０１）、目標時刻の寸前まで近づかせ、その状態でＢボタンを押すことによって（ステップ７０４ＹＥＳ）、針の動きを停止させる（ステップ６０２）。しかる後、Ｂボタンを短時間繰り返し押すことによって（ステップ６０４ＹＥＳ）、針を１秒づつ寸送りさせつつ（ステップ６０５）、目標時刻にぴったりと合わせるのである。
【００４６】
さらに、第３実施形態においては、以上説明した第１実施形態の動作と第２実施形態の動作とを適宜組み合わせることによって、連続回転速度を高低適宜に切り替えつつ、目標時刻の寸前で停止させ、以後寸送り動作を繰り返すことによって、目標とする時刻に精密に時刻合わせを行うことができるのである。
【００４７】
以上説明したように、本発明のアナログ式電波修正時計においては、連続回転の際の速度を２以上に切替可能としたことにより、この種のアナログ電波修正時計における針合わせを出来る限り簡単な操作でかつ短時間で実行可能とすることができる。
【００４８】
なお、以上の各実施形態においては、切替可能な２以上の連続回転用パルス列の周波数の中で、最も高い周波数が４０ｐｐｍ以上であり、かつ最も低い周波数が２０ｐｐｍ以下であることが好ましい。このような構成によれば、人間工学的な検知から最適な速度で目標時刻への接近を行わせることができる。
【００４９】
また、以上の各実施形態においては、時計針セットが時・分・秒の各針で構成されるときには、秒針が少なくとも１回転する期間、時計針セットが時・分の各針で構成されるときには、分針が少なくとも１回転する期間、連続回転用パルス列の中で最も低い周波数のパルス列がステッピングモータに与えられることが好ましい。このような構成によれば、低速連続回転の継続時間を適切に設定することができる。
【００５０】
さらに、以上の各実施形態においては、針の連続回転の継続時間は針の表示で１２時間以内とすることが好ましい。このような構成によれば、不必要に連続回転が継続することを回避することができる。
【図面の簡単な説明】
【００５１】
【図１】文字盤上の指針と操作ボタンとの関係を示す説明図である。
【図２】電気的なハードウェア構成の全体を概略的に示すブロック図である。
【図３】モータ駆動パルスの説明図である。
【図４】第１実施形態のソフトウェア構成を示すフローチャート（その１）である。
【図５】第１実施形態のソフトウェア構成を示すフローチャート（その２）である。
【図６】第２実施形態のソフトウェア構成を示すフローチャート（その１）である。
【図７】第２実施形態のソフトウェア構成を示すフローチャート（その２）である。
【図８】第３実施形態のソフトウェア構成を示すフローチャート（その１）である。
【図９】第３実施形態のソフトウェア構成を示すフローチャート（その２）である。
【符号の説明】
【００５２】
１    電波修正時計
２    ベゼル
３    文字盤
４    時針
５    分針
６    秒針
７    Ａボタン
８    Ｂボタン
１０  ステッピングモータ
１１  マイクロコンピュータ（ＣＰＵ）
１２，１３  ＣＭＯＳドライバ
１４  Ａボタンに相当する押しボタンスイッチ
１５  Ｂボタンに相当する押しボタンスイッチ
１６  ＣＰＵクロック用水晶
１７  受信回路ＩＣ
１８  アンテナ
１９  フィルタ用水晶
２０  電源
【図１】
2005121440.tif 000003
【図２】
2005121440.tif 000004
【図３】
2005121440.tif 000005
【図４】
2005121440.tif 000006
【図５】
2005121440.tif 000007
【図６】
2005121440.tif 000008
【図７】
2005121440.tif 000009
【図８】
2005121440.tif 000010
【図９】
2005121440.tif 000011